(57)【要約】【課題】記憶部に記憶した画像データに所望の画像処理を施して所望の出力を容易に得ることができる画像処理装置を提供する。【解決手段】画像処理装置１に、画像入力部２から入力される画像データの画像処理条件を設定する画像処理キー７ｃを表示する第一画像変換操作部７１と、前記画像データを前記画像処理条件とともに記憶部３に格納する画像データ管理部６０と、前記画像処理条件に基づいて前記画像データを変換処理する画像処理部４と、前記画像データを前記画像処理条件に基づいて前記画像処理部４で変換処理したプレビュー画像を表示部７ａに表示するとともに、当該画像データに対して前記画像処理条件を初期値として設定した編集操作キー７ｄを表示する第二画像変換操作部７２と、前記第二画像変換操作部７２で設定された画像処理条件に基づいて前記画像処理部４で画像処理された画像データを出力する画像出力部８、９とを備える。【選択図】図３
2010028167.tif 000002
【特許請求の範囲】
【請求項１】
原稿画像を光電変換して画像データを入力する画像入力部と、
前記画像入力部で入力される画像データに対して実行すべき画像処理条件を設定するための画像処理キーを表示部に表示する第一画像変換操作部と、
前記画像入力部で入力された画像データを前記第一画像変換操作部で設定された画像処理条件とともに記憶部に格納する画像データ管理部と、
前記画像処理条件に基づいて画像データを変換処理する画像処理部と、
前記画像データ管理部により管理される画像データを縮小変換したプレビュー画像であって、前記第一画像変換操作部で設定された画像処理条件に基づいて前記画像処理部で変換処理されたプレビュー画像を表示部に表示するとともに、当該画像データに対して前記第一画像変換操作部で設定された画像処理条件を初期値として設定した編集操作キーを表示する第二画像変換操作部と、
前記第二画像変換操作部で設定された画像処理条件に基づいて前記画像処理部で画像処理された画像データを出力する画像出力部とを備えている画像処理装置。
【請求項２】
前記画像データ管理部は、さらに、前記画像入力部で入力された画像データとともに当該画像データの属性情報を格納する請求項１記載の画像処理装置。
【請求項３】
前記画像データ管理部により管理される画像データを縮小変換したプレビュー画像であって、前記第一画像変換操作部で設定された画像処理条件に基づいて前記画像処理部で変換処理される前のプレビュー画像を表示部に表示するとともに、デフォルト設定された編集操作キーを表示する第三画像変換操作部を備え、前記第二画像変換操作部と前記第三画像変換操作部の何れを動作させるかを切替可能に構成されている請求項１または２記載の画像処理装置。
【請求項４】
前記画像出力部に、前記画像処理部で画像処理された画像データを印刷出力する画像形成部と、前記画像処理部で画像処理された画像データを電子ファイルとして外部に送信するファイル出力部を備えている請求項１から３の何れかに記載の画像処理装置。
【発明の詳細な説明】
【技術分野】
【０００１】
本発明は、入力された画像データを格納する記憶部を備え、当該記憶部に格納した画像データを必要に応じて読み出し、出力することができるように構成された画像処理装置に関する。
【背景技術】
【０００２】
特許文献１には、画像入力部であるスキャナ部から入力された画像データを蓄積する記憶部であるハードディスクなどの大容量不揮発性記憶装置を備えた画像処理装置が開示されている。
【０００３】
このような画像処理装置では、画像入力部から入力された画像データに所望の画像処理（例えば、拡縮処理や濃度補正など）が施されて出力用画像データが生成され、当該出力用画像データがプリンタエンジンなどの画像出力部から出力される。
【特許文献１】特開２００２−３６９０１２号公報
【発明の開示】
【発明が解決しようとする課題】
【０００４】
従来、記憶部には出力用画像データが記憶されていた。従って、記憶部に記憶された画像データには既に何らかの画像処理が施されており、当該画像データを記憶部から読み出して出力しようとしたときに、可能な画像処理の自由度が制限されることがあった。
【０００５】
例えば、カラー原稿から読み取った画像データをモノクロ出力したようなとき、記憶部にはモノクロの画像データが記憶されているため、記憶部に記憶された当該画像データに基づいてカラー出力を行なうことはできない。このようなとき、目的の出力を得るには、再度原稿から画像データを読み取り、当該画像データに所望の画像処理を施して出力しなければならず、作業効率や生産効率が著しく低下する。また、記憶部に記憶した画像データの有効利用が図れず、好ましくない。
【０００６】
本発明の目的は、上記の問題点に鑑み、記憶部に記憶した画像データに所望の画像処理を施して所望の出力を容易に得ることができる画像処理装置を提供する点にある。
【課題を解決するための手段】
【０００７】
上記目的を達成するために、本発明による画像処理装置の第一の特徴構成は、特許請求の範囲の書類の請求項１に記載した通り、原稿画像を光電変換して画像データを入力する画像入力部と、前記画像入力部で入力される画像データに対して実行すべき画像処理条件を設定するための画像処理キーを表示部に表示する第一画像変換操作部と、前記画像入力部で入力された画像データを前記第一画像変換操作部で設定された画像処理条件とともに記憶部に格納する画像データ管理部と、前記画像処理条件に基づいて画像データを変換処理する画像処理部と、前記画像データ管理部により管理される画像データを縮小変換したプレビュー画像であって、前記第一画像変換操作部で設定された画像処理条件に基づいて前記画像処理部で変換処理されたプレビュー画像を表示部に表示するとともに、当該画像データに対して前記第一画像変換操作部で設定された画像処理条件を初期値として設定した編集操作キーを表示する第二画像変換操作部と、前記第二画像変換操作部で設定された画像処理条件に基づいて前記画像処理部で画像処理された画像データを出力する画像出力部とを備えている点にある。
【０００８】
第二画像変換操作部は、第一画像変換操作部で設定された画像処理条件で画像変換されたプレビュー画像を表示するため、オペレータは、当該プレビュー画像を確認して、画像処理条件の変更の要否を容易に判断することができる。
【０００９】
また、画像処理部は、編集操作キーの操作がないとき、第二画像変換操作部により初期値として編集操作キーに設定された、第一画像変換操作部で設定された画像処理条件に基づいて画像データを画像処理する。従って、画像入力部で入力された画像データは当該画像処理条件で画像処理されることなく記憶部に格納されているが、オペレータは編集操作キーを操作することなく、当該当該画像処理条件で画像処理された画像データを画像出力部から出力することができる。
【００１０】
さらに、画像処理部は、第一画像変換操作部で設定された画像処理条件に関わりなく、第二画像変換操作部により編集操作キーの操作に応じて設定された画像処理条件に基づいて画像処理する。つまり、第一画像変換操作部で設定された画像処理条件で画像処理されることなく記憶部に格納された画像データには、何ら制限を受けることなく自由度の高い画像処理を施すことが可能である。
【００１１】
同第二の特徴構成は、同請求項２に記載した通り、上述の第一特徴構成に加えて、前記画像データ管理部は、さらに、前記画像入力部で入力された画像データとともに当該画像データの属性情報を格納する点にある。
【００１２】
画像データに対する文字領域、写真領域、網点領域などの属性情報は、画像処理部での画像処理に必要な情報であり、画像出力時の当該属性情報取得に要する時間を短縮することができる。
【００１３】
同第三の特徴構成は、同請求項３に記載した通り、上述の第一または第二の特徴構成に加えて、前記画像データ管理部により管理される画像データを縮小変換したプレビュー画像であって、前記第一画像変換操作部で設定された画像処理条件に基づいて前記画像処理部で変換処理される前のプレビュー画像を表示部に表示するとともに、デフォルト設定された編集操作キーを表示する第三画像変換操作部を備え、前記第二画像変換操作部と前記第三画像変換操作部の何れを動作させるかを切替可能に構成されている点にある。
【００１４】
例えば、第一画像変換操作部で設定した画像処理条件を有効活用したいときには第二画像変換操作部を動作させる。出力する際の画像処理条件を改めて最初から設定したいときに第三画像変換操作部を動作させる。このように、画像処理装置の使用環境や状況、オペレータの好みなどに応じて、第二画像変換操作部と第三画像変換操作部の何れを動作させるかを切り替えることができる。
【００１５】
同第四の特徴構成は、同請求項４に記載した通り、上述の第一から第三の何れかの特徴構成に加えて、前記画像出力部に、前記画像処理部で画像処理された画像データを印刷出力する画像形成部と、前記画像処理部で画像処理された画像データを電子ファイルとして外部に送信するファイル出力部を備えている点にある。
【００１６】
画像処理部で画像処理された画像データを、少なくとも、印刷出力し、または、電子ファイルとして外部に送信することができる。
【発明の効果】
【００１７】
上述のように、本発明によれば、記憶部に記憶した画像データに所望の画像処理を施して所望の出力を容易に得ることができる画像処理装置を提供することができるようになった。
【発明を実施するための最良の形態】
【００１８】
以下、複写機能、スキャナ機能などの複数の機能を備えた所謂複合機を用いて、本発明の画像処理装置について説明する。
【００１９】
図１に示すように、複合機１は、原稿画像を光電変換して画像データを入力するスキャナ２と、スキャナ２で入力される画像データに対して実行すべき画像処理条件を設定する操作部７と、スキャナ２から入力された画像データを操作部７で設定された画像処理条件に基づいて変換処理する画像処理部４と、画像処理部４で画像処理された画像データを印刷出力する画像形成部であるプリンタエンジン８と、画像処理部４で画像処理された画像データを電子ファイルとして外部に送信するファイル出力部であるＬＡＮ制御部９を備えている。また、スキャナ２から入力された画像データを記憶するハードディスク（以下、「ＨＤ」と記載する。）３を備えている。
【００２０】
プリンタエンジン８とＬＡＮ制御部９は本発明の画像出力部であり、ＨＤ３は本発明の記憶部である。なお、記憶部はハードディスクに限定するものではなく、例えばフラッシュメモリなどの不揮発性大容量メモリであってもよい。
【００２１】
複合機１は、スキャナ２で原稿画像を読み取り画像データを生成するスキャナ機能と、当該画像データをプリンタエンジン８で出力する複写機能と、当該画像データを電子ファイルとしてメールに添付してＬＡＮ制御部９で外部に送信するメール送信機能と、当該画像データをＨＤ３に区画された領域であるボックスに記憶し、また、ボックスから画像データを読み出して複写またはメール送信するボックス機能などの複数の機能を備えている。
【００２２】
複合機１はシステム制御部６によりを統括制御される。システム制御部６は、コマンドデータを伝送するコマンドバス１００または画像データを伝送する画像バス１０１を介して、スキャナ２を制御するスキャナ制御部２０と、ＨＤ３を制御するハードディスク制御部（以下、「ＨＤ制御部」と記載する。）３０と、画像処理部４と、半導体メモリなどでなるメモリ５と、操作部７を制御する操作制御部７０と、プリンタエンジン８を制御するエンジン制御部８０と、ＬＡＮ制御部９と接続されている。
【００２３】
スキャナ制御部２０とＨＤ制御部３０とシステム制御部６と操作制御部７０とエンジン制御部８０とＬＡＮ制御部９は、ＣＰＵとＣＰＵの動作プログラムが格納されたＲＯＭとＣＰＵの作業領域となるＲＡＭとインターフェース回路などの周辺回路を備えて構成される。
【００２４】
操作部７は、液晶パネルなどでなる表示部７ａと、プリント枚数などを設定する数値キーや画像処理動作を開始する際に操作するスタートキーや複合機１で実行する機能を選択する機能選択キーなどのハードウェアキー７ｂを備えている。
【００２５】
操作制御部７０は、機能選択キーが操作されると、対応する機能の操作画面を表示部７ａに表示する。例えば、ボックス機能の機能選択キー（以下、「ボックス機能キー」と記載する。）が操作されると、操作制御部７０は、図４（ａ）に示すようなボックス機能に対応した操作画面（以下、「ボックス機能画面」と記載する。）を表示する。
【００２６】
また、操作制御部７０は、スキャナ２を使用する機能に関して、スキャナ２で入力される画像データに対して実行すべき画像処理条件を設定する操作画面を表示部７ａに表示する。
【００２７】
例えば、図４（ｂ）は、ボックス機能画面で「文書保存キー」が操作されたときに、操作制御部７０が表示部７ａに表示する操作画面（以下、「入力時画像処理条件設定画面」と記載する。）である。入力時画像処理条件設定画面には、スキャナ２で入力された画像データに対して実行すべき画像処理条件（以下、「入力時画像処理条件」と記載する。）を設定するための画像処理キー７ｃが配置されている。
【００２８】
入力時画像処理条件設定画面では、画像処理キー７ｃを操作して入力時画像処理条件を設定することができる。例えば「カラー選択キー」を操作して、画像データのカラー選択設定（カラー／モノクロ／ＡＣＳの何れかを選択して設定する）を行なうことができる。なお、ＡＣＳ（オートカラーセレクト：Auto Color Select）は、カラー・モノクロを画像データから自動判別する機能である。
【００２９】
「画像の画質キー」を操作して、画質設定（写真モード／文字モード／網点モード／自動モードの何れかを選択して設定する）を行なうことができる。なお、写真モードは原稿画像が写真であるときに適している。文字モードは原稿画像が文字であるときに適している。網点モードは原稿画像が網点画像であるときに適している。自動モードは原稿画像の画質を画像データから自動判別するものである。
【００３０】
「保存サイズキー」を操作して解像度設定を行うことができる。「原稿サイズキー」を操作して原稿サイズ設定を行うことができる。「縮小／拡大キー」を操作して拡縮設定を行うことができる。
【００３１】
操作制御部７０は、画像処理キー７ｃで設定した入力時画像処理条件の夫々を各キー上に表示する。従って、オペレータは、画像処理キー７ｃ上の表示から、どのような入力時画像処理条件を設定したかを一瞥して容易に理解することができる。
【００３２】
スキャナ２は、原稿を照射する光源と、原稿からの反射光をＣＣＤに導くミラー及びレンズと、ＲＧＢのフィルタを有するＣＣＤなどを備えている。スキャナ２は、入力時画像処理条件の拡縮設定が等倍または縮小であるときには原稿画像を等倍で読み取り、拡大であるときにはレンズなどの光学系で拡大して原稿画像を読み取るように構成されている。なお、スキャナ２はＣＣＤに替えて、ＣＩＳ（Contact Image Sensor）を備えているものであってもよい。この場合、スキャナ２は、入力時画像処理条件の拡縮設定に関わらず、原稿画像を等倍で読み取る。
【００３３】
スキャナ制御部２０は、光源を制御して原稿に光束を照射する。ミラー及びレンズを介して集光した反射光から画像データを、操作部７で設定された入力時画像処理条件の解像度設定及び原稿サイズ設定に基づいてＣＣＤで１ラインずつ読み取ってアナログのＲＧＢ成分値を有する画像データを生成し、当該画像データを画像処理部４に入力する。
【００３４】
画像処理部４は、画像処理用ＡＳＩＣで構成されている。図２に示すように、画像処理部４は、Ａ／Ｄ変換部と、シェーディング補正部と、ライン・ＭＴＦ補正部と、像域分離部と、ＡＣＳ部と、符号化部と、復号化部と、色空間変換・下地除去部と、モアレ除去部と、変倍処理部と、ＵＣＲ部と、γ補正部と、フィルタ処理部と、２値化処理部を備えている。
【００３５】
Ａ／Ｄ変換部は、スキャナ２から入力されたアナログの画像データをＡ／Ｄ変換してデジタルの画像データを生成する。シェーディング補正部は画像データをシェーディング補正する。ライン・ＭＴＦ補正部は、画像データの同一ラインに対するＲＧＢ成分のライン補正や空間周波数などを補正するＭＴＦ補正を行なう。
【００３６】
像域分離部は、入力時画像処理条件の画質設定で「自動モード」が設定されているときに、画像データを写真領域または文字領域または網点領域に分離し、分離した領域情報を画像データの属性情報としてメモリ５に格納する。つまり、属性情報は、入力時画像処理条件の画質設定の設定情報として格納される。
【００３７】
ＡＣＳ部は、操作部７で設定された入力時画像処理条件のカラー選択設定で「ＡＣＳ」が設定されているとき、画像データのＲＧＢ成分から画素毎の彩度を求め、所定の閾値以上の画素がどれだけ存在するかによって当該画像のカラー判定を行い、当該判定結果をメモリ５に格納する。つまり、判定結果は、入力時画像処理条件のカラー選択設定の設定情報として格納される。
【００３８】
符号化部は、例えばＪＰＥＧ形式などに画像データを符号化して圧縮し、当該画像データをメモリ５に格納する。当該画像データは、後述の画像データ管理部６０によりＨＤ３に格納される。
【００３９】
復号化部は、画像データ管理部６０によりＨＤ３から読み出されてメモリ５に格納された画像データを読み出して復号化して伸張する。
【００４０】
色空間変換・下地除去部は、画像データの色空間を変更する（例えば、ＲＧＢからＣＭＹＫ、または、ＲＧＢからＫ）とともに、不要な下地データを除去する。モアレ除去部は、画像データからモアレを除去する。
【００４１】
変倍処理部は、画像データを拡縮処理する。また、変倍処理部は、画像データを縮小して、当該画像データのプレビュー画像やサムネイル画像を生成し、メモリ５に格納する。
【００４２】
ＵＣＲ部は、色空間変換された画像データを墨入れ処理する。γ補正部は、画像データをγ補正する。フィルタ処理部は、エッジ処理や網点処理などを画像データに施す。２値化処理部は画像データを２値化処理して、当該画像データをメモリ５に格納する。
【００４３】
プリンタエンジン８は、電子写真方式を採用し、感光体や露光装置や現像装置を有する感光体ユニット、及び、定着装置を備えている。エンジン制御部８０は、感光体ユニットを制御して、画像処理部４で画像処理された画像データに基づいて形成したトナー画像を用紙に転写する。定着装置を制御して当該トナー画像を用紙に融着して当該用紙を排紙する。
【００４４】
ＬＡＮ制御部９は、ネットワーク９００を介してメールサーバやコンピュータ端末などと接続されている。ＬＡＮ制御部９は、画像処理部４で画像処理された画像データを電子ファイルとしてメールに添付し、ネットワーク９００を介して外部に当該メールを送信する。
【００４５】
図３に示すように、複合機１は、スキャナ２で入力される画像データに対して実行すべき画像処理条件（入力時画像処理条件）を設定するための画像処理キー７ｃを表示部７ａに表示する第一画像変換操作部７１と、スキャナ２で入力された画像データを第一画像変換操作部７１で設定された入力時画像処理条件とともにＨＤ３に格納する画像データ管理部６０と、画像データ管理部６０により管理される画像データを縮小変換したプレビュー画像であって、第一画像変換操作部７１で設定された入力時画像処理条件に基づいて画像処理部４で変換処理されたプレビュー画像を表示部７ａに表示するとともに、当該画像データに対して第一画像変換操作部７１で設定された入力時画像処理条件を初期値として設定した編集操作キー７ｄを表示する第二画像変換操作部７２を備えている。
【００４６】
第一画像変換操作部７１及び第二画像変換操作部７２は、操作制御部７０でＣＰＵにより動作プログラムが実行されて具現化された機能ブロックであり、画像データ管理部６０は、システム制御部６とＨＤ制御部３０の協働で具現化された機能ブロックである。
【００４７】
第一画像変換操作部７１は、図４（ａ）に示すボックス機能画面で、画像データを格納すべきボックスが選択（対応するボックスの行を操作することで当該行が白黒反転表示される）されて「文書保存キー」が操作されると、図４（ｂ）に示す入力時画像処理条件設定画面を表示する。入力時画像処理条件設定画面に配置された画像処理キー７ｃの操作に応じて入力時画像処理条件を設定し、メモリ５に格納する。
【００４８】
入力時画像処理条件設定画面の「プレビューキー」が操作されると、スキャナ２は画像データを画像処理部４に入力する。画像処理部４は、スキャナ２から入力された画像データをＡ／Ｄ変換部、シェーディング補正部、ライン・ＭＴＦ補正部などで画像処理して入力画像データを生成し、当該入力画像データをメモリ５にＤＭＡ転送する。
【００４９】
入力画像データは、レンズ特性やＣＣＤ特性などにより生じるスキャナ２固有の読み取り特性を除去した画像データであり、本発明の画像入力部が入力する画像データである。即ち、本発明の画像入力部は、スキャナ２と画像処理部４で構成されている。
【００５０】
また、画像処理部４は、入力時画像処理条件に基づいて入力画像データを色空間変換・下地除去部などで画像処理した上、縮小処理して生成したプレビュー画像をメモリ５に格納する。第一画像変換操作部７１は、メモリ５から読み出したプレビュー画像を入力時画像処理条件設定画面に表示する。
【００５１】
操作部７でスタートキーが操作されると、画像処理部４は、当該スタートキー操作時の入力時画像処理条件に基づいて入力画像データを画像処理し、更に縮小処理してプレビュー画像とサムネイル画像を生成し、当該プレビュー画像と当該サムネイル画像をメモリ５に格納する。
【００５２】
画像データ管理部６０は、入力画像データとプレビュー画像とサムネイル画像と第一画像変換操作部７１が設定した画像処理条件をメモリ５から読み出して、これらをボックス機能画面で選択されたボックスに格納する。上述のように、像域分離部がメモリ５に格納した属性情報は入力時画像処理条件の画質設定の設定情報であり、同様に当該ボックスに格納される。
【００５３】
以下、図５に示すフローチャートを用いて、スキャナ２で入力された画像データのＨＤ３に区画されたボックスへの格納動作について説明する。
【００５４】
操作部７でボックス機能キーが操作されて表示されたボックス機能画面で「文書保存キー」が操作されると（ＳＡ１）、第一画像変換操作部７１は、画像処理キー７ｃが配置された入力時画像処理条件設定画面を表示部７ａに表示する（ＳＡ２）。第一画像変換操作部７１は、画像処理キー７ｃの操作に応じて入力時画像処理条件を設定し、当該入力時画像処理条件をメモリ５に格納する（ＳＡ３）。
【００５５】
入力時画像処理条件設定画面の「プレビューキー」が操作されると（ＳＡ４）、スキャナ２は画像データを画像処理部４に入力し、画像処理部４は当該画像データを画像処理して入力画像データを生成し、入力時画像処理条件に基づいて当該入力画像データを画像処理してプレビュー画像を生成する（ＳＡ５）。第一画像変換操作部７１は、当該プレビュー画像を入力時画像処理条件設定画面に表示する（ＳＡ６）。
【００５６】
操作部７でスタートキーが操作されると（ＳＡ７）、スタートキー操作時の入力時画像処理条件で、画像処理部４は入力画像データを画像処理してプレビュー画像とサムネイル画像を生成し、プレビュー画像とサムネイル画像をメモリ５に格納する（ＳＡ８）。
【００５７】
画像データ管理部６０は、入力画像データとプレビュー画像とサムネイル画像と入力時画像処理条件をメモリ５から読み出して、これらをＨＤ３に区画されたボックスに格納する（ＳＡ９）。
【００５８】
第二画像変換操作部７２は、ボックス機能画面で、ボックスが選択されて「開くキー」が操作されると、図６（ａ）に示す操作画面（以下、「画像データ選択画面」と記載する。）を表示する。画像データ管理部６０は、ボックス機能画面で選択されたボックスに格納されている画像データ（入力画像データ）のサムネイル画像をメモリ５に読み出す。第二画像変換操作部７２は、当該サムネイル画像を画像データ選択画面に表示する。
【００５９】
画像データ選択画面で出力すべき画像データが選択（当該画像データに対応するサムネイル画像の下側に配置されたチェックボックスがチェック）され、「印刷キー」または「送信キー」が操作されると、画像データ管理部６０は、当該画像データ及び当該画像データのプレビュー画像と入力時画像処理条件をメモリ５に読み出す。
【００６０】
第二画像変換操作部７２は、プレビュー画像と入力時画像処理条件をメモリ５から読み出して、図６（ｂ）に示すように、当該プレビュー画像を表示するとともに当該入力時画像処理条件を初期値として表示した編集操作キー７ｄを配置した出力時画像処理条件設定画面を表示部７ａに表示する。
【００６１】
出力時画像処理条件設定画面の「プレビューキー」が操作されると、画像処理部４は、メモリ５から読み出した入力画像データを編集操作キー７ｄの操作に応じて設定された画像処理条件（出力時画像処理条件）に基づいて画像処理した上、縮小処理して生成したプレビュー画像をメモリ５に格納する。第二画像変換操作部７２は、出力時画像処理条件設定画面に表示したプレビュー画像を、メモリ５から読み出した当該プレビュー画像に更新する。
【００６２】
操作部７でスタートキーが操作されると、画像処理部４は、当該スタートキー操作時の出力時画像処理条件に基づいて入力画像データを画像処理して出力画像データを生成し、出力画像データをメモリ５に格納する。
【００６３】
エンジン制御部８０は、メモリ５から読み出した出力画像データを印刷出力し、ＬＡＮ制御部９は、メモリ５から読み出した出力画像データを電子ファイルとしてメールに添付し、外部に送信する。
【００６４】
以下、図７に示すフローチャートを用いて、ＨＤ３に区画されたボックスに格納された画像データの出力動作について説明する。
【００６５】
操作部７でボックス機能キーが操作されて表示部７ａに表示されたボックス機能画面で「開くキー」が操作されると（ＳＢ１）、第二画像変換操作部７２は、選択されたボックスに格納された画像データのサムネイル画像が表示された画像データ選択画面を表示する（ＳＢ２）。
【００６６】
第二画像変換操作部７２は、画像データ選択画面で画像データが選択されて（ＳＢ３）、「印刷キー」または「送信キー」が操作されると、選択された画像データのプレビュー画像を表示するとともに、入力時画像処理条件を初期値として表示した編集操作キー７ｄを配置した出力時画像処理条件設定画面を表示する（ＳＢ４）。
【００６７】
第二画像変換操作部７２は、編集操作キー７ｄの操作に応じて出力時画像処理条件を設定し、出力時画像処理条件をメモリ５に格納する（ＳＢ５）。出力画像処理条件設定画面の「プレビューキー」が操作されると（ＳＢ６）、画像処理部４は出力画像処理条件に基づいて入力画像データを画像処理してプレビュー画像を生成し、メモリ５に格納する（ＳＢ７）。第二画像変換操作部７２は、メモリ５に格納された当該プレビュー画像を出力時画像処理条件設定画面に更新表示する（ＳＢ８）。
【００６８】
操作部７でスタートキーが操作されると（ＳＢ９）、画像処理部４は、スタートキー操作時の出力時画像処理条件で、入力画像データを画像処理して出力画像データを生成し、当該出力画像データをメモリ５に格納する（ＳＢ１０）。
【００６９】
画像データ選択画面で「印刷キー」が操作されていたとき、エンジン制御部８０は、メモリ５から出力画像データを読み出し、当該出力画像データを印刷出力する。「送信キー」が操作されていたとき、ＬＡＮ制御部９は、メモリ５から出力画像データを読み出し、当該出力画像データを電子ファイルとしてメールに添付し、外部に送信する（ＳＢ１１）。
【００７０】
以下に別実施形態を説明する。上述の実施形態の複合機１が、画像データ管理部６０により管理される画像データを縮小変換したプレビュー画像であって、第一画像変換操作部７１で設定された画像処理条件に基づいて画像処理部４で変換処理される前のプレビュー画像を表示部７ａに表示するとともに、デフォルト設定された編集操作キー７ｄを表示する第三画像変換操作部を備えているときの実施形態について説明する。
【００７１】
第三画像変換操作部は、操作制御部７０でＣＰＵにより動作プログラムが実行されて具現化された機能ブロックである。操作制御部７０は第二画像変換操作部７２と第三画像変換操作部の何れを動作させるかを切り替える切替部を備えている。当該切替部も操作制御部７０でＣＰＵにより動作プログラムが実行されて具現化された機能ブロックである。
【００７２】
図８（ａ）及び図８（ｂ）は、本別実施形態での出力時画像処理条件設定画面を示す図である。当該出力画像処理条件設定画面には編集操作キー７ｄの下側に「読取時条件反映キー」が配置されている。
【００７３】
切替部は、ボックス機能キーが操作されると、予め設定された第二画像変換操作部７２と第三画像変換操作部の何れかを動作させる。但し、これに限定するものではなく、例えば、前回、画像処理部４が出力画像データを生成したときに動作していた第二画像変換操作部７２と第三画像変換操作部の何れかを動作させるものであってもよい。
【００７４】
また、切替部は、出力時画像処理条件設定画面に配置された「読取時条件反映キー」の操作に応じて、第二画像変換操作部７２と第三画像変換操作部の何れを動作させるかを切り替えるように構成されている。「読取時条件反映キー」が操作される度に、当該キー上に「（無効）」または「（有効）」を切り替えて表示する。
【００７５】
図８（ａ）に示すように、「読取時条件反映キー」に「（有効）」を表示しているとき、切替部は第二画像変換操作部７２を動作させる。このときの第二画像変換操作部７２などの動作は前述の通りであり、説明を省略する。
【００７６】
図８（ｂ）に示すように、「読取時条件反映キー」に「（無効）」を表示しているとき、切替部は第三画像変換操作部を動作させる。第三画像変換操作部は、デフォルト設定された画像処理条件を反映した編集操作キー７ｄを出力時画像処理条件設定画面に表示する。
【００７７】
当該デフォルト設定は、例えば、一切の画像処理条件の設定がなされていないものであってもよく、工場出荷時などに予め固定で設定されているものであってもよく、当該デフォルト設定を行なうための操作画面で予め設定されたものであってもよい。
【００７８】
また、当該別実施形態では、ＨＤ３に格納するプレビュー画像及びサムネイル画像は、入力画像データを入力画像処理条件で画像処理したものでなく、入力画像データを変倍処理部で縮小処理しただけのものであってもよい。
【００７９】
以下、図９に示すフローチャートを用いて、切替部の動作について説明する。
【００８０】
操作部７でボックス機能キーが操作されて表示部７ａに表示されたボックス機能画面で「開くキー」が操作されると（ＳＣ１）、切替部は、予め設定された第三画像変換操作部を動作させる（ＳＣ２）。第三画像変換操作部は、選択されたボックスに格納された画像データのサムネイル画像が表示された画像データ選択画面を表示する（ＳＣ３）。
【００８１】
第三画像変換操作部は、画像データ選択画面で画像データが選択されて（ＳＣ４）、「印刷キー」または「送信キー」が操作されると、画像処理部４で変換処理される前の入力画像データのプレビュー画像を表示するとともに、デフォルト設定された編集操作キー７ｄを配置した出力時画像処理条件設定画面を表示する（ＳＣ５）。
【００８２】
出力時画像処理条件設定画面で「読取時処理条件反映キー」が操作される度に（ＳＣ６）、切替部は、当該キーに「（無効）」または「（有効）」を切り替えて表示する。当該表示に合わせて（ＳＣ７）、第二画像変換操作部７２と第三画像変換操作部の何れかを動作させる（ＳＣ８、ＳＣ１０）。
【００８３】
切替部は、画像処理部４で出力画像データを生成して画像出力部から当該出力画像データを出力するためにスタートキーが操作されるまで当該切替動作を行い、スタートボタンが操作されると当該切替動作を終了する（ＳＣ９）。
【００８４】
上述の実施形態では、本発明が適用された複合機には、画像形成部であるプリンタエンジン８と、ファイル出力部であるＬＡＮ制御部９を画像出力部として備えているものとして説明したが、これに限定するものではない。例えば、これらに加えて、または、これらに替えてファクシミリ機能を実行するＮＣＵ（Network Control Unit）を備えていてもよい。なお、ＮＣＵは、コマンドバス１００と画像バス１０１を介して、システム制御部６などと接続されており、公衆回線に接続されたファクシミリ端末などとファクシミリ通信を行なうものである。
【００８５】
上述の実施形態では、記憶部にプレビュー画像やサムネイル画像を格納するものとしたが、これらは記憶部に格納することなく、記憶部に格納された画像データを出力する操作を行なう際に、当該画像データから生成するものであってもよい。
【００８６】
上述の実施形態では、第二画像変換操作部７２または第三画像変換操作部は、画像データ選択画面に、選択したボックスに格納した画像データのサムネイル画像を表示するものとしたが、図１０に示すように、当該画像データの名称を表形式で表示するものであっても良い。サムネイル画像を生成する画像処理部の負荷が軽減される。
【００８７】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００８８】
【図１】複合機の説明図
【図２】画像処理部の説明図
【図３】本発明に関する機能ブロック図
【図４】（ａ）はボックス機能選択画面の説明図、（ｂ）は入力時画像処理条件設定画面の説明図
【図５】記憶部への画像データの格納動作を説明するフローチャート
【図６】（ａ）は画像データ選択画面の説明図、（ｂ）は出力時画像処理条件設定画面の説明図
【図７】記憶部に格納された画像データの出力動作を説明するフローチャート
【図８】（ａ）及び（ｂ）は別実施形態での出力時画像処理条件設定画面の説明図
【図９】切替部の動作を説明するフローチャート
【図１０】別実施形態での画像データ選択画面の説明図
【符号の説明】
【００８９】
２：画像入力部（スキャナ）
３：記憶部（ハードディスク）
４：画像処理部（画像処理用ＡＳＩＣ）
５：メモリ
７ａ：表示部
７ｃ：画像処理キー
７ｄ：編集操作キー
８：画像出力部（プリンタエンジン）
９：画像出力部（ＬＡＮ制御部）
７１：第一画像変換操作部
７２：第二画像変換操作部
【図１】
2010028167.tif 000003
【図２】
2010028167.tif 000004
【図３】
2010028167.tif 000005
【図４】
2010028167.tif 000006
【図５】
2010028167.tif 000007
【図６】
2010028167.tif 000008
【図７】
2010028167.tif 000009
【図８】
2010028167.tif 000010
【図９】
2010028167.tif 000011
【図１０】
2010028167.tif 000012